(57)【要約】      （修正有）【課題】パイプの結束作業において、パイプの積上げ、結束を一人で容易に行うことが可能なパイプ仕分けラックを提供する。【解決手段】複数のパイプ６０を仮置きする仮置き部１０と、パイプを結束する結束部２０とから成り、仮置き部は、パイプを載置する載置部１１を有し、結束部は、パイプを底面から保持する底面部３２と、底面部の両端に設けられた側面規制部３１とから成る複数の保持部３０と、保持部同士を接続する連結部４０とを有し、連結部は、底面部よりも低い位置にあり、載置部は、側面規制部の上端よりも高い位置にあるという構成を採用した。【選択図】図１
2020200043.tif 000002
【特許請求の範囲】
【請求項１】
複数のパイプを仮置きする仮置き部と、パイプを結束する結束部とから成り、
仮置き部は、パイプを載置する載置部を有し、
結束部は、パイプを底面から保持する底面部と、底面部の両端に設けられた側面規制部とから成る複数の保持部と、保持部同士を接続する連結部とを有し、
連結部は、底面部よりも低い位置にあり、
載置部は、側面規制部の上端よりも、高い位置にあることを特徴とするパイプ仕分けラック。
【請求項２】
仮置き部と結束部は、分離可能であることを特徴とする請求項１に記載のパイプ仕分けラック。
【請求項３】
結束部は、パイプの端部の位置を規制する規制面を有し、
規制面は、保持部の連なる方向に移動可能であることを特徴とする請求項１又は請求項２に記載のパイプ仕分けラック。
【請求項４】
結束部は、底面部と側面規制部の接する位置に、斜めのガイド部を有することを特徴とする請求項１から請求項３のいずれかに記載のパイプ仕分けラック。
【請求項５】
載置部の結束部側には、パイプの移動を規制する落下防止部があることを特徴とする請求項１から請求項４のいずれかに記載のパイプ仕分けラック。
【請求項６】
結束部は、側面規制部に、パイプの積上げ量が分かる目盛を有することを特徴とする請求項１から請求項５のいずれかに記載のパイプ仕分けラック。
【請求項７】
結束部は、規制面の位置を確認する目盛を有し、規制位置を設定する規制位置設定部を有することを特徴とする請求項１から請求項６のいずれかに記載のパイプ仕分けラック。
【発明の詳細な説明】
【技術分野】
【０００１】
本発明は、パイプ仕分けラックに関し、詳しくは、パイプ仕分け時の作業性向上の技術に関する。
【背景技術】
【０００２】
パイプは、建築等で大量に用いられる。パイプは、繰り返し用いることが多いことから、一時保管し、必要に応じて、建築現場等に所定の本数を運ぶことになる。パイプは、長いものでは４〜５ｍあり、重量は１０ｋｇを超えることもある。そのため、大量のパイプの移動は、フォークリフト等の機械を用いる。
【０００３】
機械で扱う際、ある程度の本数をまとめて、結束した方が扱いが楽になる。しかし、パイプは、円柱状であることから、転がりやすく、積上げても、結束作業中に崩れる可能性がある。そのため、結束作業は、複数の人員が慎重に行う必要があった。
【０００４】
そこで、パイプの結束作業において、パイプの積上げ、結束を一人で容易に行う構造が求められていた。
【０００５】
このような問題に対して、従来からも様々な技術が提案されている。例えば、固定枠構造によって、所定の本数の棒状材を結束する技術（特許文献１参照）が提案され、公知技術となっている。より詳しくは、垂直杆を立設してＵ字状枠を形成し、枠内に、棒状材を積上げ、積上げ完了後、垂直杆の上端面の固定部で結束を完了する構造が開示されている。
しかしながら、枠内への棒状材の積上げには、棒状材を両端から２人で持つ必要があり、１人で行うことは困難である。そのため、容易に一人で作業ができるとは言えず、前記問題の解決には至っていない。
【先行技術文献】
【特許文献】
【０００６】
【特許文献１】実開昭５４−１３３６１９号公報
【発明の概要】
【発明が解決しようとする課題】
【０００７】
本発明は、パイプの結束作業において、パイプの積上げ、結束を一人で容易に行うことができないという問題点に鑑み、パイプを仮置きする仮置き部とパイプを結束する結束部によって課題を解決するものである。
【課題を解決するための手段】
【０００８】
本発明に係るパイプ仕分けラックは、複数のパイプを仮置きする仮置き部と、パイプを結束する結束部とから成り、仮置き部は、パイプを載置する載置部を有し、結束部は、パイプを底面から保持する底面部と、底面部の両端に設けられた側面規制部とから成る複数の保持部と、保持部同士を接続する連結部とを有し、連結部は、底面部よりも低い位置にあり、載置部は、側面規制部の上端よりも、高い位置にあることを手段とする。
【０００９】
また、本発明は、仮置き部と結束部は、分離可能であることを手段とする。
【００１０】
さらに、本発明の結束部は、パイプの端部の位置を規制する規制面を有し、規制面は、保持部の連なる方向に移動可能であることを手段とする。
【００１１】
またさらに、本発明の結束部は、底面部と側面規制部の接する位置に、斜めのガイド部を有することを手段とする。
【００１２】
さらにまた、本発明の載置部の結束部側には、パイプの移動を規制する落下防止部があることを手段とする。
【００１３】
またさらに、本発明の結束部は、側面規制部に、パイプの積上げ量が分かる目盛を有することを手段とする。
【００１４】
そしてまた、本発明の結束部は、規制面の位置を確認する目盛を有し、規制位置を設定する規制位置設定部を有することを手段とする。
【発明の効果】
【００１５】
本発明に係るパイプ仕分けラックによれば、作業者は、一人で、パイプを容易に結束することが出来、作業性の向上に資するものである。
【図面の簡単な説明】
【００１６】
【図１】本発明に係るパイプ仕分けラックの実施例の全体斜視図である。
【図２】本発明に係るパイプ仕分けラックの正面図、側面図である。
【図３】本発明に係るパイプ仕分けラックの規制部調整構造を示す説明図である。
【図４】本発明に係るパイプ仕分けラックの作業手順を示す工程図である。
【図５】本発明に係るパイプ仕分けラックの他の実施例を示す説明図である。
【発明を実施するための形態】
【００１７】
本発明に係るパイプ仕分けラックは、複数のパイプを仮置きする仮置き部と、パイプを結束する結束部とから成り、該パイプの結束作業において、パイプの積上げ、結束を一人で容易に行うことができることを最大の特徴とする。
以下、本発明に係るパイプ仕分けラックの実施形態を、図面に基づいて説明する。
【００１８】
なお、本実施形態で示されるパイプ仕分けラックの全体形状及び各部の形状は、下記に述べる実施例に限定されるものではなく、本発明の技術的思想の範囲内、即ち、同一の作用効果を発揮できる形状や寸法等の範囲内で、適宜変更することができるものである。
【実施例１】
【００１９】
図１から図４に従って、本発明を説明する。図１（ａ）は、本発明の全体斜視図であり、パイプを載置している図である。図１（ｂ）は同斜視図であり、パイプを除いた図である。図２（ａ）は、本発明の正面図であり、パイプを載置している。図２（ｂ）は、本発明の側面図である。図３（ａ）は、本発明の規制部調整構造の断面図である。図３（ｂ）は、本発明の規制部調整構造の斜視図である。図４（ａ）乃至（ｄ）は、パイプの纏め、結束、移動までを示す図である。
【００２０】
パイプ仕分けラック１は、パイプ６０を一人で容易にまとめ、結束するための構造である。パイプ仕分けラック１は、仮置き部１０と結束部２０とから構成されている。
仮置き部１０は、パイプ６０を仮置きする部分である。パイプ６０は、４〜５メートルのものもあることから、その長さをほぼカバーする大きさが必要である。全体として、立方体の枠構造である。枠は、角型の中空であり、溶接等で固定している。載置部１１と落下防止部１２を備える。
【００２１】
載置部１１は、仮置き部１０の上面を形成し、パイプ６０を載置する部分である。載置部１１は、複数の鉄骨で構成され、複数の鉄骨を跨ぐようにパイプ６０を置いていく。パイプ６０は、結束部２０の方向に転がしながら移動されることから、載置部１１の表面は、突起等が無い、フラットな構造が好適である。載置されるパイプ６０は、全体としては、１トンを超えることもあるため、十分な強度が必要である。本実施例では、載置部１１が４本の鉄骨で構成されている（図１等）。
【００２２】
落下防止部１２は、作業開始前に、パイプ６０が載置部１１から転がり落ちることを防ぐ棒である。載置部１１は、フラットであり、パイプ６０を結束部２０に転がり落とすことで、パイプ６０をまとめていく。そのため、パイプ６０をまとめる作業を行う前に、勝手に、パイプ６０が転がることを防ぐために、落下防止部１２を設けている。落下防止部１２は、載置部１１の鉄骨のうち、両端の鉄骨の端部に設けられている。落下防止部１２は、棒状であり、載置部１１の端部の孔に挿入し、載置部１１の上部に突出した形となる。パイプ６０は、落下防止部１２によって規制されるので、載置部１１から転げ落ちることは無い。パイプ６０の纏め作業を開始する際は、落下防止部１２を載置部１１の孔から引き抜く。
【００２３】
結束部２０は、仮置き部１０から落としたパイプ６０を整然とまとめ、結束をスムーズに行う部分である。結束部２０は、保持部３０と連結部４０と、パイプ端部規制部５０とから成る。
保持部３０は、２つ以上あり、パイプ６０の下部分と側面部分を覆うＵ字型の構造を持つ。このＵ字型の構造により、パイプ６０をまとめ、結束しやすくする。連結部４０は、複数の保持部３０を連結するための枠構造である。パイプ６０をまとめ、結束した後、フォークリフト等でパイプ６０を持ちあげる際、連結部４０が邪魔にならないように、低い位置で保持部３０同士を連結している。
パイプ端部規制部５０は、パイプ６０をまとめる際に、パイプ６０の端部をそろえるためのものである。パイプ端部規制部５０に、パイプ６０の端部を当てることで、パイプ６０の位置をそろえる。
【００２４】
保持部３０は、側面規制部３１、底面部３２、ガイド部３３、積上げ目盛３４から成る。底面部３２は、パイプ６０をまとめる際に、底側の基準となるものである。パイプ６０は、底面部３２に下支えされる形でまとめられる。側面規制部３１は、パイプ６０をまとめる際の側面部分の基準となる部分であり、底面部３２の両端に設けられる。底面部３２と両端の側面規制部３１とで、パイプ６０をまとめる際のＵ字型を形成する。底面部３２の上端は、丸みを帯び、パイプ６０が傷つくことを防ぐ。
ガイド部３３は、パイプ６０をまとめる際に、まとめやすく、結束しやすく、結束後に取り出しやすく、取り出し後に、より扱いやすい形に結束するためのガイドである。底面部３２と側面規制部３１の接する位置に配置され、底面部３２の長手方向に対して側面規制部３１の上端方向に６０度程度の角度の面を形成する。
パイプ６０は、断面が円状であるので、隙間なく結束すると、ハチの巣のような６角構造になる。そこで、予め、６角構造にまとめやすいように、ガイド部３３の斜面の角度が底面部３２の長手方向に対して６０度であると好適である。
【００２５】
また、ガイド部３３を用いることで、パイプ６０をまとめ、結束した後、結束部２０からパイプ６０を引き上げる作業が容易になる。ガイド部３３が無い場合、パイプ６０は、４角形にまとめられる。そうすると、フォークリフト等でパイプ６０を引き上げる際、パイプ６０の側面がすべて、側面規制部３１の側面に接触しているため、大きな摩擦力が生じ、引き上げが難しくなる場合もある。
その点、ガイド部３３を用いることで、パイプ６０を引き上げる際、側面規制部３１の側面との接触はほとんど無いので、大きな摩擦力が生じず、引き上げが容易となる。
積上げ目盛３４は、パイプ６０をまとめる際の本数を確認出来るようにするものである。目盛からまとめたパイプ６０の数を一目で確認することが出来る。
【００２６】
パイプ端部規制部５０は、規制面５１、規制用連結部５２、規制位置目盛５４から成る。パイプ端部規制部５０の構造は、概ね保持部３０と同様であり、パイプ６０の端部に当接する位置に規制面５１が配置されている点が異なる。規制面５１は、パイプ６０をまとめる際の、パイプ６０の端部を当てる部分である。作業者は、規制面５１にパイプ６０の端部を当てることで、パイプ６０の端部をそろえる。規制用連結部５２は、保持部３０とパイプ端部規制部５０との距離を一定に保つものである。保持部３０とパイプ端部規制部５０との距離を変える必要が無ければ、規制用連結部５２により、保持部３０とパイプ端部規制部５０を溶接等で固定しておけばよい。しかし、距離を可変する必要がある場合は、例えば、連結部４０の中に規制用連結部５２を入れるような構造にする。パイプ６０の長さが異なる場合に、作業者が作業をしやすいように、パイプ６０の位置を変える必要があるからである。
規制位置目盛５４は、保持部３０とパイプ端部規制部５０の距離を調整する際の基準とする目盛である。パイプの長さに応じて、目盛によって、保持部３０とパイプ端部規制部５０の距離を正確に調整することが出来る。
【００２７】
連結部４０には、保持部３０とパイプ端部規制部５０の距離を調整後に、距離が変動しないようにするためのガイド孔４１と挿入するピン４２がある。規制用連結部５２の孔５３とガイド孔４１を合わせ、ピン４２を挿入することで、保持部３０とパイプ端部規制部５０の距離が固定となる。
【００２８】
図２に沿って、仮置き部１０と結束部２０の位置関係を説明する。図２（ａ）は、パイプ仕分けラック１の正面図である。仮置き部１０に対して、結束部２０が手前側にある。載置部１１には、パイプ６０が６段程度積み上がり、結束部２０の底面部３２には、パイプ６０が２段程度積んである。図２（ｂ）は、パイプ仕分けラック１を側面から見た図である。仮置き部１０の左側に結束部２０が配置されている。
仮置き部１０の載置部１１の上には、パイプ６０が雑然と置かれている。現場からパイプ６０を回収する際、現場でパイプ６０を正確に結束することは困難である。パイプ６０は、ばらばらであったり、仮の結束がされた状態で回収される。パイプ６０は、フォークリフトで一気にまとめて載置部１１の上に仮置きされることも多い。結束部２０は、仮置き部１０の側面部分に接近して配置される。遠いと仮置き部１０と結束部２０の間にパイプ６０が落ちる可能性があるからである。
【００２９】
作業者は、仮置き部１０にあるパイプ６０を、結束部２０付近まで転がし、結束部２０の方に落とす。仮置き部１０の載置部１１の高さと結束部２０の底面部３２の高さの差を数１０センチとすることで、パイプ６０が痛むことは無い。
仮置き部１０の載置部１１の高さに対して、側面規制部３１の上端の高さを低くする。このようにすることによって、パイプ６０を結束部２０に落下させる際、側面規制部３１を跨ぐ必要が無く、作業をスムーズに行うことが出来る。
また、孔５３の上端を丸くすることで、パイプ６０が孔５３の上端に接触した際の傷付きを防ぐことが出来る。
【００３０】
図３に沿って、パイプ端部規制部５０の位置調整について説明する。図３（ａ）は、図３（ｂ）のＶ−Ｖでの断面図である。保持部３０、連結部４０、パイプ端部規制部５０の一部を示す。図３（ｂ）は、保持部３０、連結部４０、パイプ端部規制部５０の一部を示す斜視図である。連結部４０内の規制用連結部５２を点線で示している。
パイプ６０をまとめる際に、パイプ端部規制部５０の規制面５１にパイプ６０の端部を当てることで、パイプ６０の端部が揃い、まとめ、結束がしやすくなる。パイプ６０の長さによって、規制面５１の位置を変えた方が作業性が高まることもある。そこで、任意の位置に固定するための位置調整構造である。
図３（ａ）に示すように、パイプ端部規制部５０の規制用連結部５２の一部を連結部４０の内側に入れる。規制用連結部５２の外形寸法は、連結部４０の内径寸法よりも若干小さい寸法とする。規制用連結部５２の上面には、等間隔で孔５３を開けられている。連結部４０のパイプ端部規制部５０に近い位置にガイド孔４１が開けられている。ガイド孔４１と孔５３の位置を合わせてピン４２を挿入することで、パイプ端部規制部５０の位置を固定する。このようにすることで、任意の位置にパイプ端部規制部５０を固定することが出来る。
また、規制用連結部５２の側面等に規制位置目盛５４を入れることで、規制位置目盛５４を参照することで、正確な位置に固定することが出来る。
【００３１】
図４に沿って、パイプ６０をまとめ、結束し、移動する作業を説明する。
仮置き部１０の載置部１１に置かれたパイプ６０を、順次結束部２０に入れていく。パイプ６０は、載置部１１の上を転がすので、容易に載置部１１の端面まで移動出来る。作業者は、パイプ６０を結束部２０に落とす。底面部３２と側面規制部３１で作られるＵ字型構造は、深いため、結束部２０からパイプ６０が飛び出してしまうことは無い。パイプ６０は、ガイド部３３に沿って、全体として６角形に近い配置となるので、きれいに安定した状態でまとめられる。ガイド部３３の角度は、例えば、６角形の角度である６０度であると好適である（図４（ａ））。パイプ６０をそろえる際、パイプ端部規制部５０にパイプ６０の端部を当てることで、パイプ６０全体の端部の位置を揃える。
【００３２】
パイプ６０をガイド部３３に沿って、まとめることで、作業者は、１人で、容易に、パイプ６０が隙間なくまとめることが出来る。ガイドよりも高い位置のパイプ６０については、作業者が、同様に、隙間なく置くことで、６角形にまとめることが出来る（図４（ｂ））。
パイプ６０を結束バンド７１で固定する。パイプ６０は安定してまとめられているので、作業者１人で、容易に結束バンド７１で固定することが出来る。
結束が完了した後、フォークリフト等で、パイプ６０を移動する。連結部４０の高さは、底面部３２の高さよりも低い位置にあるので、フォークリフト腕部７０は、パイプ６０の下に入り、パイプ６０を持ちあげることが出来る。
フォークリフト腕部７０でパイプ６０を持ちあげようとする際、パイプ６０と接触しているのは、底面部３２とガイド部３３である。いずれも、パイプ６０を下から保持する構造であるので、パイプ６０と底面部３２、ガイド部３３には大きな摩擦力は発生しない。そのため、パイプ６０は容易に移動することが出来る。
【実施例２】
【００３３】
また、本発明の変形例を図５に沿って説明する。実施例１では、仮置き部１０と結束部２０を一対として説明したが、１つの仮置き部１０に対して２つの結束部２０を用いてもよい。そうすることで、まとめ、結束作業を２か所で同時に行うことが出来る。その際、落下防止部１２は、載置部１１の両側に配置し、両側の作業に応じて、落下防止部１２を抜き差しすることで、作業を容易にすることが出来る。
さらに、結束部２０の種類をいくつか用意ことによって、結束する本数を調整することが出来る。結束する本数が少ない場合は、底面部３２の長さの短いものを用意し、結束する本数が多い場合は、底面部３２の長さの長いものを用意することで、必要な本数での結束を容易にすることが出来る（図５（ｂ））。
またさらに、底面部３２の長さを調整可能とすることで、様々な規格の大きさのパイプに対応することが出来る。
さらにまた、仮置き部１０の下段には、結束する予定の無いパイプ等を保留にする形で置くことが出来る。
【００３４】
このように、本発明によれば、作業者は、一人で、パイプを容易に結束することが出来、作業性の向上に資するものである。
また、整然とそろえることが出来るので、束がきれいに６角形の形状とすることが出来、本数の確認も容易となるという効果もある。
尚、上記各実施例では、パイプの例を示したが、棒状部材であれば、パイプに限らず、筋交い、線材、鉄骨、木材等の長尺物にも適応出来る。
【産業上の利用可能性】
【００３５】
本発明に係るパイプ仕分けラックは、パイプの結束の作業性を向上させる技術として、あらゆる棒状部材の結束にも応用可能であって、産業上の利用可能性は大きいと解する。
【符号の説明】
【００３６】
１    パイプ仕分けラック
１０    仮置き部
１１    載置部
１２    落下防止部
２０    結束部
３０    保持部
３１    側面規制部
３２    底面部
３３    ガイド部
３４    積上げ目盛
４０    連結部
４１    ガイド孔
４２    ピン
５０    パイプ端部規制部
５１    規制面
５２    規制用連結部
５３    孔
５４    規制位置目盛
６０    パイプ
７０    フォークリフト腕部
７１    結束バンド
【図１】
2020200043.tif 000003
【図２】
2020200043.tif 000004
【図３】
2020200043.tif 000005
【図４】
2020200043.tif 000006
【図５】
2020200043.tif 000007